(57)【要約】【課題】サスペンションへの衝撃印加時にスライダが磁気ディスクから跳躍乃至跳ね上がりするのを抑制し、引いては磁気ヘッドと磁気ディスクとの接触を防止して、耐衝撃信頼性を向上させること。【解決手段】スライダ５を保持するフレクシャ４と、フレクシャを設置するビーム３と、ビームを一端で弾性支持する荷重曲げ部材２と、荷重曲げ部材の他端を固定するアーム１と、を備えるサスペンションであって、ビーム３は、荷重曲げ部材２の曲げ基点からアームの回動軸に向けて延在するビーム延長部６を有すること。また、スライダのロードオン状態でビーム延長部は、アームと非接触であること、又はアームの背面より突出していないこと。【選択図】        図１
2004348804.tif 000002
【特許請求の範囲】
【請求項１】
スライダを保持するフレクシャと、前記フレクシャを設置するビームと、前記ビームを一端で弾性支持する荷重曲げ部材と、前記荷重曲げ部材の他端を固定するアームと、を備えるサスペンションであって、
前記ビームは、前記荷重曲げ部材の曲げ基点から前記アームの回動軸に向けて延在するビーム延長部を有する
ことを特徴とするサスペンション。
【請求項２】
請求項１において、
前記スライダのロードオン状態で前記ビーム延長部は、前記アームと非接触であることを特徴とするサスペンション。
【請求項３】
請求項２において、
前記スライダのロードオン状態で前記ビーム延長部は、前記アームの背面より突出していないことを特徴とするサスペンション。
【請求項４】
請求項１、２又は３に記載のサスペンションを備えた磁気ディスク装置。
【発明の詳細な説明】
【０００１】
【発明の属する技術分野】
本発明は、サスペンション及びヘッド組立体並びにディスク装置に係り、特に外部からの衝撃に対するスライダの跳躍を抑制する技術に関する。
【０００２】
【従来の技術】
磁気ディスク装置の動作時に外部から衝撃が加わると、スライダがその衝撃力により磁気ディスク面から跳躍し、その後、磁気ディスク面を叩くことにより、磁気ディスク上のデータを損傷するという事態が生じ得る。そこで、耐衝撃性を改善する、すなわち、スライダの跳躍を抑制するために、サスペンション（スライダを支持するアーム、荷重曲げ部材、ビーム、及びフレクシャからなるもの）の等価質量（スライダの或る一点に質量が集中したと仮定した場合のスライダを含めたサスペンションの質量）を低減したり、荷重曲げ部材による押付け荷重（スライダをディスク面方向に押し付ける力）を増大することが一般的な従来技術として行われていた。
【０００３】
また、衝撃時におけるスライダの跳躍抑制の従来技術として、ロードビームとアームの上面に板バネと重りからなるカウンタウエイトを固定配置し、サスペンションの等価質量とカウンタウエイトの等価質量を等しくしてロードビームの荷重曲げ部を中心としたモーメントを釣り合うようにすることが提案されている（例えば、特許文献１を参照）。
【０００４】
【特許文献１】
特開平１１−３９８０８号公報
【０００５】
【発明が解決しようとする課題】
しかしながら、上述した一般的な従来技術において、サスペンションの等価質量を低減することは、サスペンションのビーム長さの短縮と薄板化で低減する方向であるが、薄板化は振動特性の悪化等の課題もあり限界がある。また、押付け荷重を増大させることは、浮上特性、気圧依存性とのトレードオフがあり、ピコスライダ（例えば、スライダ寸法が１．２５ｍｍ×１ｍｍ×０．３ｍｍ程度のもの）では３ｇｆ程度にしかならない。
【０００６】
また、特許文献１は、衝撃に対してカウンタウエイトがモーメントをキャンセルし耐衝撃性を改善しようとする技術ではあるが、この従来技術では、サスペンションのフリー状態で、カウンターウエイトはアームまたはベースプレートに当接しており、この当接によってサスペンションの押付け荷重のばね定数が増大してしまうという課題がある。そして、このばね定数の増大は装置組立時の荷重ばらつきの増大になり、引いてはスライダの浮上ばらつきを増大させる。更に、カウンタウエイトがアーム背面（アームにおけるディスク対向面と反対側の面）から突出しており、アーム背面同士を接触させる方式（アーム背面同士を接触させて一対の磁気ヘッドを構成するヘッド組立体方式）の実装には対応できないという課題がある。
【０００７】
本発明の目的は、外部からの衝撃時にスライダを磁気ディスク面から跳ね上げる方向のモーメントを低減し、耐衝撃性を向上するサスペンションを提供することにある。
【０００８】
【課題を解決するための手段】
前記課題を解決するために、本発明は主として次のような構成を採用する。  スライダを保持するフレクシャと、前記フレクシャを設置するビームと、前記ビームを一端で弾性支持する荷重曲げ部材と、前記荷重曲げ部材の他端を固定するアームと、を備えるサスペンションであって、
前記ビームは、前記荷重曲げ部材の曲げ基点から前記アームの回動軸に向けて延在するビーム延長部を有する構成とする。
【０００９】
また、前記サスペンションにおいて、前記スライダのロードオン状態で前記ビーム延長部は、前記アームと非接触である構成とする。
【００１０】
また、前記サスペンションにおいて、前記スライダのロードオン状態で前記ビーム延長部は、前記アームの背面より突出していない構成とする。
【００１１】
このような構成を採用することによって、本発明は、外部からの衝撃に対するスライダの跳躍を抑制することができる。
【００１２】
【発明の実施の形態】
本発明の実施形態に係るサスペンションについて、図１〜図４を参照しながら以下説明する。図１は本発明の第１の実施形態に係るサスペンションの平面図であり、図２は第１の実施形態に係るサスペンションの側面図である。図３は本発明の第２の実施形態に係るサスペンションの側面図である。図４は本実施形態に係るサスペンションを用いた磁気ディスク装置の概略構成を示す図である。
【００１３】
ここで、１はアーム、２は荷重曲げ部材、３はビーム、４はフレクシャ、５はスライダ、６はビーム延長部、７はアーム背面、９はリフトタブ、１０は曲げ基点、２１はベース、２２は磁気ディスク、２３はボイスコイルモータ、２４はサスペンション、２５はランプ、をそれぞれ表す。
【００１４】
そして、本実施形態では、サスペンション２４は、アーム１、荷重曲げ部材２、ビーム３、及びフレクシャ４を総称するものを指称する。アーム１及びビーム３は剛特性を有し、アーム１及びビーム３の左右側をそれぞれ繋ぐ荷重曲げ部材２は可撓性を有していて、この荷重曲げ部材２がスライダ５に対して磁気ディスク２２面側に押し付ける荷重を与えている。図２に示すスライダ５の位置は、この押し付け荷重と磁気ディスク２２の回転に伴うスライダ浮上力とが釣り合った状態を示している。
【００１５】
図１、図２及び図３を参照して、アーム１に荷重曲げ部材２を介してビーム３が取り付けられる。ビーム３にはスライダ５を取り付けるためのフレクシャ４がディンプルを介して取り付けられる。図２と図３において、アーム１の正面側（アーム背面７の反対側であり、図面でアーム１の右側）には、荷重曲げ部材２とフレクシャ４が配設されている。ここで、フレクシャ４はＳＵＳ基板上に絶縁性のポリイミドを塗布し、この上に磁気ヘッドからのＣｕ配線を配設し、更にポリイミドカバーを層形成したものを一例とする。このようなフレクシャ４がアーム１の回動支点の近傍まで配設されている。
【００１６】
磁気ディスク装置の動作時には、スライダ５が磁気ディスク２２上を浮上して磁気ヘッドを介して情報を記録・再生している。スライダ５には、荷重曲げ部材２によって磁気ディスク２２面に押し付ける所定の荷重が加えられ、スライダ５と磁気ディスク２２面との間で発生する空気流の圧力で釣り合い、磁気ディスク２２との隙間、すなわち浮上量を所定の値に維持している。このサスペンション２４においては、ビーム３の一端が荷重曲げ部材２の一端に溶接により取り付けられ、更に、荷重曲げ部材２の他端がアーム１に取り付けられている。そして、アーム１の他端は、磁気ディスク装置の位置決め機構部２３の一部が取り付けられ、ピボット軸を介してベース２１に回動可能に固定される。位置決め機構部２３はピボット軸回りにアーム１を駆動することにより、磁気ディスク２２上におけるスライダ５の位置決めを行う。
【００１７】
また、磁気ディスク装置はロード／アンロード機構を備えている。磁気ヘッドを備えたスライダ５は、磁気ディスク２２と磁気ヘッドの間で情報を記録・再生するときには、磁気ディスク２２上を移動するが、記録・再生を行っていないときにはリフトタブ９をランプ２５に保持することによって、磁気ヘッドを磁気ディスク上から隔離して、磁気ディスク２２と磁気ヘッドとの無用な接触や磁気ディスク２２と磁気ヘッドとの固着を防止して磁気ヘッドやサスペンションの損傷を防いでいる。
【００１８】
次に、本発明の第１の実施形態に係るサスペンションの特徴を説明する。図１と図２において、磁気ディスク装置乃至サスペンション２４に矢印のような衝撃が加わったときに、装置動作時の耐衝撃性を向上させるために、第１の実施形態では、荷重曲げ部２に対してビーム３をアーム１の方向に延長するビーム延長部６を設ける。換言すると、ビーム３に対して曲げ荷重を与える基点である曲げ基点１０を境としてサスペンションのピボット軸側に延在するビーム延長部６をビーム３から延在させる構造となっている。図１によると、荷重曲げ部材は左右２つの部材からなっていてそれらの部材の間、即ちサスペンションの中心線に沿ってビーム延長部６が延在している。図２の図示構造から分かるように、ビーム３のビーム延長部６は、荷重曲げ部２の曲げ基点１０よりもアーム１側に延びていて、且つアーム１とは接触していない構造である。
【００１９】
サスペンション２４に外部衝撃が加わったとき、本実施形態では、スライダ側の等価質量と曲げ基点１０からの距離とにより決まるモーメントＭ１が発生し、一方、ビーム延長部６の等価質量と曲げ基点１０からの距離とにより決まるモーメントＭ２も発生する。そして、モーメントＭ２の発生しない従来の構造のものでは、モーメントＭ１によりスライダの跳躍又は跳ね上がりがあり、その反動でスライダ内の磁気ヘッドが磁気ディスクに衝突し得る場合もあったのに対して、本実施形態では、磁気ディスクからの跳ね上がりモーメントＭ１に対抗するモーメントＭ２をビーム延長部６によって発生することにより、結果的に跳ね上がりモーメントを低減することができ、耐衝撃性を緩和することが可能となる。
【００２０】
更に、ビーム延長部６をアーム１に接触しない構造を採用することによって、荷重曲げ部材２のばね定数を増大させる必要もない（ビーム延長部６がアーム１の上面に当接している構造であれば、ビーム３及びビーム延長部６を弾性的に支持する荷重曲げ部材２のばね定数を、当接していない場合に比べて、大とする必要がある）
次に、本発明の第２の実施形態を図３を参照して説明すると、ビーム３からのビーム延長部６に対応する部分のアーム１を切り欠くか、又は部分的に厚みを低減する構造となっている。第２の実施形態においても、第１の実施形態と同様に、ビーム延長部６とアーム１はロードオン状態で当接、接触していない構造であり、荷重曲げ部材２のばね定数を増大させることはない。
【００２１】
更に、アーム１の背面７からビーム延長部６が突出していないので、アーム１の背面７同士を合わせて２つのサスペンションを組立てる方式のサスペンション構造に対応することができる。このサスペンション構造では、アーム１の背面７同士を当接させて、２つのサスペンションを一対のサスペンションとし、各サスペンションの磁気ヘッドが２つの磁気ディスク面に対向するようになっている。
【００２２】
以上説明したように、本発明の実施形態の特徴は、ビーム３を荷重曲げ部２よりもアーム１側に延ばし、衝撃時にスライダ５を引き剥がす方向のモーメントＭ１を低減し、耐衝撃性を向上するものである。一部分延ばされたビーム６はロードオン状態でアーム１と接触することなく、荷重曲げ部材２のばね定数には影響を与えない。また、アーム１の先端形状の中央を薄くするなどで、ビームの延長部分をロードオン時にアームの背面から突出させない構造にすることによって、アーム背面７同士を合わせる一対のサスペンション構造とすることができる。
【００２３】
【発明の効果】
本発明によれば、サスペンションへの衝撃印加時にスライダが磁気ディスクから跳躍乃至跳ね上がりするのを抑制し、引いては磁気ヘッドと磁気ディスクとの接触を防止して、耐衝撃信頼性を向上させることができる。
【００２４】
また、荷重曲げ部材のばね定数を増大させることなく、スライダの浮上量ばらつきや気圧依存性を改善することができる。
【図面の簡単な説明】
【図１】本発明の第１の実施形態に係るサスペンションの平面図である。
【図２】第１の実施形態に係るサスペンションの側面図である。
【図３】本発明の第２の実施形態に係るサスペンションの側面図である。
【図４】本発明の実施形態に係るサスペンションを用いた磁気ディスク装置の概略構成を示す図である。
【符号の説明】
１  アーム
２  荷重曲げ部
３  ビーム
４  フレクシャ
５  スライダ
６  ビーム延長部
７  アーム背面
９  リフトタブ
１０  曲げ基点
２１  ベース
２２  磁気ディスク
２３  ボイスコイルモータ
２４  サスペンション
２５  ランプ
【図１】
2004348804.tif 000003
【図２】
2004348804.tif 000004
【図３】
2004348804.tif 000005
【図４】
2004348804.tif 000006